(57)【要約】【課題】視覚的効果が高く、遊技機の興趣性を向上させることのできる電飾装置の提供。【解決手段】遊技機に取り付けられる電飾装置２００であって、遊技者Ｐに向けて発光する発光体２０２と、前記発光体２０２より遊技者Ｐ側に配置され、前記発光体２０２からの光の進行方向を変化させるレンズ体２０３と、前記レンズ体２０３より遊技者Ｐ側に配置されるプリズムシート２０５と、前記発光体２０２から遊技者Ｐに向かって延在する軸線Ｒを中心として前記レンズ体２０３を回転させる駆動源２０６とを備え、前記レンズ体２０３を全体が波状をなす板体とすることで、前記レンズ体２０３における遊技者Ｐ側の表面および前記表面とは反対側の裏面のそれぞれには、相互に略平行な方向に延在する山脈状の突出部２１４が複数形成され、前記発光体２０２は、前記回転軸Ｒに対してずれた位置に配される。【選択図】図５
2007313026.tif 000002
【特許請求の範囲】
【請求項１】
遊技機に取り付けられる電飾装置であって、
遊技者に向けて発光する発光体と、
前記発光体より遊技者側に配置され、前記発光体からの光の進行方向を変化させるレンズ体と、
前記レンズ体より遊技者側に配置されるプリズムシートと、
前記発光体から遊技者に向かって延在する軸線を中心として前記レンズ体を回転させる駆動源とを備え、
前記レンズ体を全体が波状をなす板体とすることで、前記レンズ体における遊技者側の表面および前記表面とは反対側の裏面のそれぞれには、相互に略平行な方向に延在する山脈状の突出部が複数形成され、
前記発光体は、前記回転軸に対してずれた位置に配されていることを特徴とする電飾装置。
【発明の詳細な説明】
【技術分野】
【０００１】
本発明はパチンコ機やスロットマシン等の遊技機に取り付けられる電飾装置に関し、特に、興趣性を向上させうる電飾装置に関する。
【背景技術】
【０００２】
従来の遊技機においては、遊技に関する演出を盛り上げる為に、点滅を繰り返す電飾が設けられている。さらに、昨今の遊技機は、大当たりや確変など遊技の状態が多様化しており、電飾の点灯パターンを前記遊技の状態に応じて変化させるなどが行われている。
【０００３】
さらに、電飾による視覚的効果を高めるための種々の提案がなされている。
【０００４】
例えば、特許文献１には、発光体の光を反射する傾斜反射板を、光軸を中心として回転させることで、発光体から発光された光の進行方向を変化させて、遊技者に与える視覚的効果を高める発明が記載されている。
【０００５】
また、特許文献２には、回転体（透光性のレンズ体）の後ろ側に多数の発光体を配置することで、発光体の光が回転体を介して遊技者側に射出されるため、遊技者に与える視覚的効果を高めることができる。また、回転体の画集面には螺旋状のレンズカットが施されているため、光を拡散または集光して射出させることができ、視覚的効果をさらに高める発明が記載されている。
【特許文献１】特開２００２−３４６０６４号公報
【特許文献２】特開２００３−１２６３７６号公報
【発明の開示】
【発明が解決しようとする課題】
【０００６】
しかし、特許文献１に記載の発明では、単に光の進行方向を変化させることしかできないため、遊技機の前に着座している遊技者に対して前記光は断続的に到達するだけであり、前記遊技者にとっては電飾自体の点滅との区別がつきにくく視覚的効果を飛躍的に高めうる技術とは言い難い。
【０００７】
また、特許文献２に記載の発明では、光を拡散または集光させるとはいっても光の進行方向を変化させるだけであり、前記と同様に視覚的効果が飛躍的に高まるとは言い難い。しかも、遊技者が事前に光の進行方向を変化させるための回転体を看取することができるため、光の挙動が予測でき興趣性が低下する。
【０００８】
さらに、両発明とも遊技者の側から奥に向かって回転する、つまり、回転軸が垂直方向に存在するため、反射板や回転体を回転させるための大きなスペース、特に広い奥行きが必要となるという問題点もある。
【０００９】
本発明は上記課題に鑑みなされたものであり、あたかも光源が予測不能に移動するかのように遊技者に看取され、視覚的効果が絶大な電飾装置の提供を目的とする。
【課題を解決するための手段】
【００１０】
上記目的を達成するために、本発明に係る電飾装置は、遊技機に取り付けられる電飾装置であって、遊技者に向けて発光する発光体と、前記発光体より遊技者側に配置され、前記発光体からの光の進行方向を変化させるレンズ体と、前記レンズ体より遊技者側に配置されるプリズムシートと、前記発光体から遊技者に向かって延在する軸線を中心として前記レンズ体を回転させる駆動源とを備え、前記レンズ体を全体が波状をなす板体とすることで、前記レンズ体における遊技者側の表面および前記表面とは反対側の裏面のそれぞれには、相互に略平行な方向に延在する山脈状の突出部が複数形成され、前記発光体は、前記回転軸に対してずれた位置に配されていることを特徴とする。
【００１１】
従って、レンズ体の回転によって、当該レンズ体の突出部と発光体（回転軸からずれた位置にある発光体）との相対的な位置関係が変化する。換言すれば、レンズの裏面において隣接した突出部間の領域と、当該領域に望む発光体との位置関係が変化する。よって、レンズ体のある程度の回転によって、前記領域において突出部の延在方向へと線状に広がり、かつ、回転軸周りを旋回する発光体からの光が前記領域に隣接する別の領域において突出部の延在方向へと線状に広がり、かつ、回転軸周りを旋回する光に移行することとなる。この光の線の移行により、実際には光源は固定されているが、あたかも光源がランダムに移動するかのように遊技者に看取されるため、視覚的効果を飛躍的に向上させ、当該電飾装置が取り付けられた遊技機の興趣を向上させることが可能となる。しかも、発光体からの光の進行方向を変化させるためのレンズ体の前面にプリズムシートが存在するため、光の動きを事前に予測しがたく、光の動きに意外性を付与できるためより興趣性を向上させることが可能となる。
【発明を実施するための最良の形態】
【００１２】
以下、本発明に係る実施の形態を遊技機としてのパチンコ機を例示しつつ、図面に沿って説明する。
【００１３】
図１は、本実施形態に係るパチンコ機１００の正面方向から示す斜視図である。
【００１４】
同図に示されるように、パチンコ機１００は、外枠１１１と、前枠１１２と、窓枠１１３とを備え、窓枠１１３の背部には電飾装置２００が取り付けられた遊技盤１１４とを備えている。
【００１５】
外枠１１１は、パチンコ機１００の各構成要素を保持するための基礎となる部材であり、矩形状の枠体となっている。また、外枠１１１は、パチンコホールなど設置されている台島に直接固定される部材であり、台島と外枠１１１のみとを固着することによりパチンコ機１００が台島に設置されることとなる。
【００１６】
前枠１１２は、遊技盤１１４や、パチンコ機１００に関する各種機能を制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされている。すなわち、台島に設置されたパチンコ機１００の前枠１１２を回動すると、パチンコ機１００の背部を露出させることが可能となっている。
【００１７】
また、前枠１１２の前面下部には遊技者が操作できる遊技球１０５を貯留するための上皿１１６や下皿１１７が設けられ、下皿１１７の右方には、遊技者が回転させることにより遊技球１０５の射出の可否を選択し、また、遊技球１０５の射出速度を変更するためのハンドル１１８が設けられている。
【００１８】
窓枠１１３は、前枠１１２の前面にヒンジ１０２を介して装着される部材である。この窓枠１１３は円形孔状の窓部１０３を有し、当該窓部１０３の内周面には透明なガラス板１０４が設けられている。前記窓部１０３のガラス板１０４は、遊技中の遊技球１０５が転落する遊技盤１１４の前面に配置されており、前記転落中の遊技球１０５を遊技者が視認できると共に、遊技球１０５が遊技盤１１４から飛び出ることを防止している。なお、本実施形態においてはガラス板１０４と記載されているが、ガラス板１０４とは透明で遊技球１０５転落の際の衝撃に抗する強度を有するものとの意味で使用されている。従い、前記条件を満たす材質であるならガラスに限定されることはなく、樹脂製の板や、樹脂板とガラス板とが積層されるような複合板などでもかまわない。
【００１９】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示パネル１２１が取り付けられる部材である。
【００２０】
また、表示パネル１２１の周囲には、飾り枠１２０が取り付けられている。この飾り枠１２０の上部には、本発明に係る電飾装置２００が取り付けられている。
【００２１】
図２は、電飾装置２００が飾り枠１２０に取り付けられた状態を示す斜視図である。
【００２２】
同図に示すように、電飾装置２００は、飾り枠１２０の背部から飾り枠１２０に挿入された状態で取り付けられている。そして、表示パネル１２１を囲うように飾り枠１２０を遊技盤１１４に取り付けることにより、電飾装置２００がパチンコ機１００に取り付けるものとなっている。
【００２３】
図３は、電飾装置２００を回転軸で切断した状態を模式的に示す断面図である。
【００２４】
同図に示すように電飾装置２００は、光源基台２０１と、発光体２０２と、回転枠体２０３と、レンズ体２０４とプリズムシート２０５と、駆動源２０６とを備えている。そして、同図には、電飾装置２００の前面（遊技者Ｐ側）に飾り枠１２０の一部が記載されている。
【００２５】
光源基台２０１は、発光体２０２を保持するための円盤状の部材である。
【００２６】
発光体２０２は、光源として機能する部品であり、本実施形態では、フルカラーＬＥＤ（Ｌｉｇｈｔ  Ｅｍｉｔｔｉｎｇ  Ｄｉｏｄｅ）が発光体２０２として採用されている。
【００２７】
フルカラーＬＥＤは、電気的な制御により白色も含めて任意の色を発光させることができるため、パチンコ機１００の遊技状態に応じて発光色を変更させるなど本発明による効果と相俟ってさらに視覚的効果を向上させることができるためである。なお、発光体２０２はこれに限定されるわけではなく、あらゆる発光体、例えば電球や冷陰極管など任意の光源を採用することができる。
【００２８】
また、発光体２０２は、光源基台２０１の表面に５個取り付けられている。また、これら５個の発光体２０２は、図４に示すように、さいころの５の目のように配置されている。ただし、中央に位置する発光体２０２は、後述するレンズ体２０４の回転軸Ｒから若干ずれた位置に配置されている。これは、回転軸Ｒ上に発光体２０２があると、レンズ体２０４を回転させても看取される光の動きが鈍く、興趣性を高めないからである。
【００２９】
なお、発光体２０２の数、及び、配置については、本実施形態に限定されることなく任意の数、配置を採用することが可能である。
【００３０】
回転枠体２０３は、直接レンズ体２０４を回転させる構造よりも回転枠体２０３を介してレンズ体２０４を回転させた方が容易に電飾装置２００を製造することができる点に鑑み、電飾装置２００に備えられたものであり、図５に示すように、後述のレンズ体２０４とほぼ同じ径を持つ円形の外枠２０８と、外部突出状に歯が突出するギア部２０９（破線で示す）と、レンズ体２０４を固着するためのボルトを挿通しうる貫通孔２１０とを備えている。
【００３１】
また、回転枠体２０３は、外枠２０８と同心上に円形の内枠２１１と、前記外枠２０８と内枠２１１とを接続する放射状に延びたスポーク２１２とを備えている。前記内枠２１１とスポーク２１２とは、外枠２０８及びギア部２０９と一体に設けられたものであり、外枠２０８及びギア部２０９の形状安定性を確保している。また、内枠２１１は、中心に配置される発光体２０２から射出される光を遮らない径に設定されている。
【００３２】
レンズ体２０４は、回転枠体２０３と一体となって回転し、当該回転に伴って発光体２０２から射出される光の屈折状態を変化させるものであり、図６に示すように、略平行に並び、ある程度同一ピッチで並んで延在する複数の稜線２１３を有する山脈状の突出部２１４を有する円盤状の部材である。また、レンズ体２０４は、図３に示すように、全体的には回転軸Ｒと交わる部分を頂点として、発光体２０２に向かって膨出状に湾曲している。また、レンズ体２０４は、ある程度均等な板厚を維持しつつ前記湾曲に沿って滑らかに波打つ板状となっている。従って、プリズムシート２０５側から見ると突出部２１４である部分は、発光体２０２側から見ると凹部となっている。さらに、図６に示すように、山脈状の突出部２１４は、レンズ体２０４の端から端まで連続するものもあれば、稜線２１３が途絶えた後、再び前記稜線２１３の延長上に稜線２１３が出現するような連続しないものもある。また、突出部２１４の傾斜部（稜線２１３から谷底に至る山肌の部分）は滑らかではなく、連続的な凹凸が設けられている。また、稜線２１３を挟んで存在する二つの傾斜部（異なる谷底に向かう二つの傾斜部）の傾斜角度は僅かに異なるものとなっている（ただし、二つの傾斜角度が一致する部分も存在している）。
【００３３】
以上のように、レンズ体２０４が備える稜線２１３は、ある程度同一ピッチで並び、かつ、ある程度平行に並んでいるが、ある程度ランダムである。また、突出部２１４の形状も、その裏の形状も含めてある程度ランダムである。このような特徴の稜線２１３を有する突出部２１４を備えるレンズ体２０４は、全体的にはある傾向を備えた均一な部材として看取されるが、微視的には同じ状態の部分がないほどランダムであり、遊技者Ｐに対して予測不能な光の動きを提供することができるものとなっている。
【００３４】
さらに、レンズ体２０４は、その周縁部を取り囲む起立状の周壁２１５が一体に設けられており、さらに、当該周壁２１５の発光体２０２側の端部には外方突出状にフランジ２１６が設けられている。この周壁２１５とフランジ２１６により、レンズ体２０４の形状安定性が担保されており、また、回転枠体２０３との取り付け安定性が担保されている。
【００３５】
プリズムシート２０５は、透過性の薄い樹脂製シートに、回折格子が設けられたシートである。本実施形態の場合、透過した光は、光源を中心として十字状に光の帯が延びるように看取されるプリズムシート２０５が採用されている。
【００３６】
駆動源２０６は、回転速度や回転方向を制御することのできる電動のモータである。当該駆動源２０６の回転軸には、前記回転枠体２０３が備えるギア部２０９とかみ合うことのできる歯を備えたギア２０７が取り付けられており、当該ギア２０７及び回転枠体２０３を介してレンズ体２０４に回転駆動力を付与するものとなっている。
【００３７】
図７は、レンズ体２０４を回転可能に保持する回転筐体２１７を示す斜視図である。
【００３８】
同図に示すように、回転筐体２１７は、レンズ体２０４及び回転枠体２０３を回転自在に前記レンズ体２０４と回転枠体２０３との外周部分で保持すると共に、回転枠体２０３に駆動力を付与する駆動源２０６とギア２０７とを保持する部材である。
【００３９】
回転筐体２１７は、厚さ方向に分離可能な、基体部２１８と抑え部２１９との二つの部材に分離可能である。
【００４０】
基体部２１８は、図８に示すように、大きな円板と小さな円板とが一部重なり合って融合した形状であり、小さな円板の裏面には駆動源２０６が固定されると共に、前記駆動源２０６の回転軸を挿通する挿通孔を備えている。
【００４１】
また、大きな円板の中心部分には光を透過させるための大きな貫通孔が設けられており、環状となっている。なお、当該貫通孔の径は、回転枠体２０３の外枠の内径とほぼ一致しおり、回転枠体２０３は当該貫通孔を通り抜けることはできないように設定されている。さらに、駆動源２０６の回転軸に取り付けられたギア２０７を正三角形の一つの頂点とし、前記正三角形の他の頂点であって大きな円板の周縁に、シャフト２２０が立設されている。また、当該２本のシャフト２２０には回転自在なローラ２２１がそれぞれ取り付けられている。そして、ギア２０７と二つのローラ２２１で回転枠体２０３の外周部が支持されており、回転枠体２０３が基体部２１８から落下することなく回転することができるようになっている。
【００４２】
抑え部２１９は、基体部２１８に対し所定の間隔を隔てて取り付けられ、基体部２１８に保持されているレンズ体２０４及び回転枠体２０３を回転軸方向に脱落しないように係止する部材である。抑え部２１９の形状は、図７に示すように、基体部２１８の大きな円板に対応した大きさのＣ字状部２２２と駆動源２０６に取り付けられるギア２０７をカバーするカバー部とを備えている。また、Ｃ字状部２２２は、円環の一部が切りかかれた形状であり、その内径は、回転枠体２０３のフランジ２１６の外形よりも小さく、外枠２０８よりも大きく設定されている。このような形状により、Ｃ字状部２２２の内側にレンズ体２０４の周壁２１５が挿通された状態で、レンズ体２０４及び回転枠体２０３を回転可能に係止している。
【００４３】
以上の回転筺体２１７を用いれば、レンズ体２０４の中心を回転軸としつつ当該回転軸上には駆動源等を配置する必要がない。従って、発光体２０２から射出される光を駆動源が邪魔することがなく、高い視覚的効果を得ることが可能となる。
【００４４】
上記構成の電飾装置２００は、飾り枠１２０の取り付け部分に、プリズムシート２０５、回転筐体２１７、光源基台２０１の順で取り付けることにより組み立てられる。なお、飾り枠１２０とプリズムシート２０５との間には、プリズムシート２０５を押さえるための透明な板が配置されている。
【００４５】
以上のような電飾装置２００を備えた飾り枠１２０が表示パネル１２１の周囲に取り付けられることにより、表示パネル１２１に表示される図柄などに対応して電飾装置２００から光が射出される。しかも、遊技者Ｐは、あたかも十字に広がる光の中心がゆらゆらと動いているように電飾装置２００から射出される光を看取するため、当該電飾装置２００は表示パネル１２１に表示される図柄と相俟って、高揚感や期待感が高められるなど興趣性を向上させる視覚的効果を発揮することが可能となる。
【００４６】
さらに、プリズムシート２０５によりレンズ体２０４の詳細な形状が見にくく、しかも、レンズ体２０４の形状が複雑であるため、電飾装置２００から射出される光の動きを遊技者Ｐが事前に予想することが困難であり、意外性の高い演出を行うことが可能となる。
【００４７】
なお、本実施形態では遊技盤１１４内に電飾装置２００を配置したが、本発明はこれに限定されるわけではない。例えば、窓枠１１３の４隅などに当該電飾装置２００を設けてもかまわない。
【００４８】
また、発光体２０２の前面で回転するレンズ体２０４が発光体２０２から遊技者Ｐを結ぶ線を回転軸として回転する、つまり、遊技盤１１４に平行に回転するため、電飾装置２００全体の厚みを薄くすることができる。従って、電飾装置２００を取り付けるために確保するスペースを小さくすることが可能となる。
【００４９】
なお、上記実施形態では、電飾装置２００を遊技盤１１４内に設ける例を示したが、本発明はこれに限定されない。例えば、窓枠１１３等の位置に取り付けられるものでもかまわない。
【産業上の利用可能性】
【００５０】
本発明は、パチンコ機やスロット機などの遊技機に利用できる。
【図面の簡単な説明】
【００５１】
【図１】本実施形態に係るパチンコ機を正面方向から示す斜視図。
【図２】電飾装置が取り付けられた飾り枠を示す斜視図。
【図３】電飾装置を模式的に示す断面図。
【図４】発光体が取り付けられた光源基台を示す平面図。
【図５】回転枠体を示す平面図。
【図６】レンズ体を示す（ａ）平面図、（ｂ）Ｂ−Ｂ線断面図。
【図７】回転筐体に取り付けられたレンズ体を示す斜視図。
【図８】回転枠体を保持する回転筐体を示す平面図。
【符号の説明】
【００５２】
２００…電飾装置、２０２…発光体、２０４…レンズ体、２０５…プリズムシート、２０６…駆動源、２１３…稜線、２１４…突出部
【図１】
2007313026.tif 000003
【図２】
2007313026.tif 000004
【図３】
2007313026.tif 000005
【図４】
2007313026.tif 000006
【図５】
2007313026.tif 000007
【図６】
2007313026.tif 000008
【図７】
2007313026.tif 000009
【図８】
2007313026.tif 000010